(57)【要約】【課題】簡単な構成で、モード設定ダイアルの回転領域を規制できるようにしたデジタルカメラを提供することを目的とする。【解決手段】本体ケース２と、本体ケース２の所定位置に装着され、回転操作されるモード設定ダイアル６と、本体ケース内２に位置し、モード設定ダイアル６が操作されることにより撮影モードが切り替えられる回路基板とを備えたデジタルカメラにおいて、本体ケース２を、前ケース２１と後ケース２２により形成し、前ケース２１と後ケース２２の接合部２３にモード設定ダイアル６を装着し、モード設定ダイアル６の回転軸を兼ねた胴部６４の底面６８に、モード設定ダイアル６の回転領域を規制する規制片６７を張り出すように形成する。本体ケース２の内面に規制片６７が当接し、モード設定ダイアル６の回転領域を規制する規制壁２４，２５を形成する。モード設定ダイアル６の胴部６４の内側に、回路基板８を係止する爪６６を有する係止部６９を形成する。【選択図】図３
2006047597.tif 000002
【特許請求の範囲】
【請求項１】
本体ケースと、前記本体ケースの所定位置に装着され、回転操作されるモード設定ダイアルと、前記本体ケース内に位置し、前記モード設定ダイアルが操作されることにより撮影モードが切り替えられる回路基板とを備えたデジタルカメラにおいて、
前記本体ケースを、前ケースと後ケースにより形成し、前記前ケースと前記後ケースの接合部に前記モード設定ダイアルを装着し、前記モード設定ダイアルの回転軸を兼ねた胴部の底面に、前記モード設定ダイアルの回転領域を規制する規制片を張り出すように形成するとともに、前記本体ケースの内面に前記規制片が当接し、前記モード設定ダイアルの回転領域を規制する規制壁を形成し、かつ、前記モード設定ダイアルの胴部の内側に、前記回路基板を係止する爪を有する係止部を形成したことを特徴とするデジタルカメラ。
【請求項２】
本体ケースと、前記本体ケースの所定位置に装着され、回転操作されるモード設定ダイアルと、前記本体ケース内に位置し、前記モード設定ダイアルが操作されることにより撮影モードが切り替えられる回路基板とを備えたデジタルカメラにおいて、
前記本体ケースを、前ケースと後ケースにより形成し、前記前ケースと前記後ケースの接合部に前記モード設定ダイアルを装着し、前記モード設定ダイアルの回転軸を兼ねた胴部の底面に、前記モード設定ダイアルの回転領域を規制する規制片を形成するとともに、前記本体ケースの内面に前記規制片が当接し、前記モード設定ダイアルの回転領域を規制する規制壁を形成したことを特徴とするデジタルカメラ。
【請求項３】
前記モード設定ダイアルは、中心部に貫通孔を有し、前記胴部が前記貫通孔の外周の一部の領域を形成するとともに、前記貫通孔にレリーズボタンを貫装したことを特徴とする請求項１または請求項２に記載のデジタルカメラ。
【請求項４】
前記胴部には、嵌合部を形成するとともに、前記レリーズボタンの底部外周に複数個の抜け止め片を形成し、前記嵌合部に前記抜け止め片を嵌合したことを特徴とする請求項３に記載のデジタルカメラ。
【請求項５】
前記レリーズボタンは、外ボタンと、内ボタンとを接着したことを特徴とする請求項３または請求項４に記載のデジタルカメラ。
【発明の詳細な説明】
【技術分野】
【０００１】
本発明は、撮影時に回転操作して撮影モードを設定するモード設定ダイアルを備えたデジタルカメラに関し、特にその回転する領域を規制するようにしたものである。
【背景技術】
【０００２】
周知の通り、被写体を撮像素子（Ｃｈａｒｇｅ  Ｃｏｕｐｌｅｄ  Ｄｅｖｉｃｅ）によって撮像した画像をメモリーカードなどの記憶媒体に記録するようにしたデジタルカメラが市販されている。このようなデジタルカメラにおいては、モード設定ダイアルを操作することにより、例えば、スイッチオフ「Ｌ」やプログラムモード「Ｐ」、マニュアルモード「Ｍ」など撮影モードを設定できるように構成している。
【０００３】
従来では、例えば、モード設定ダイアルと同一平面上に隣接して、押しボタンを設け、この押しボタンでロックレバーを押し下げ、モード設定ダイアルの下面に形成した溝に嵌合したロックレバーを解除するようにしたものがある(例えば、特許文献1参照）。
【特許文献１】特開２００３−７５８９８号公報
【発明の開示】
【発明が解決しようとする課題】
【０００４】
しかし、前述の特許文献１記載の構成では、モード設定ダイアルを、所望の設定位置にロックすることは出来るが、その回転領域を規制する機能は備えていない。従って、モード設定ダイアルは、３６０度何れの方向にも回転でき、撮影者にとっても無駄な方向に回転し、操作上問題がある。また、モード設定ダイアルが何ら機能上関係のない領域まで回転し、これに起因して、電子部品が破壊するなどのトラブルを発生する危惧がある。
【０００５】
本発明は、上述した問題を解決するためになされたものであり、簡単な構成で、モード設定ダイアルの回転領域を規制できるようにしたデジタルカメラを提供することを目的とする。
【課題を解決するための手段】
【０００６】
かかる目的を達成するため、請求項１記載の発明では、本体ケースと、本体ケースの所定位置に装着され、回転操作されるモード設定ダイアルと、本体ケース内に位置し、モード設定ダイアルが操作されることにより撮影モードが切り替えられる回路基板とを備えたデジタルカメラにおいて、本体ケースを、前ケースと後ケースにより形成し、前ケースと後ケースの接合部にモード設定ダイアルを装着し、モード設定ダイアルの回転軸を兼ねた胴部の底面に、モード設定ダイアルの回転領域を規制する規制片を張り出すように形成するとともに、本体ケースの内面に規制片が当接し、モード設定ダイアルの回転領域を規制する規制壁を形成し、かつ、モード設定ダイアルの胴部の内側に、回路基板を係止する爪を有する係止部を形成する。
【０００７】
請求項２記載の発明では、本体ケースと、本体ケースの所定位置に装着され、回転操作されるモード設定ダイアルと、本体ケース内に位置し、モード設定ダイアルが操作されることにより撮影モードが切り替えられる回路基板とを備えたデジタルカメラにおいて、本体ケースを、前ケースと後ケースにより形成し、前ケースと後ケースの接合部にモード設定ダイアルを装着し、モード設定ダイアルの回転軸を兼ねた胴部の底面に、モード設定ダイアルの回転領域を規制する規制片を形成するとともに、本体ケースの内面に、前記規制片が当接し、モード設定ダイアルの回転領域を規制する規制壁を形成する。
【０００８】
請求項３記載の発明では、モード設定ダイアルは、中心部に貫通孔を有し、胴部が貫通孔の外周の一部の領域を形成するとともに、貫通孔にレリーズボタンを貫装する。
【０００９】
請求項４記載の発明では、胴部には、嵌合部を形成するとともに、レリーズボタンの底部外周に複数個の抜け止め片を形成し、嵌合部に抜け止め片を嵌合する。
【００１０】
請求項５記載の発明では、レリーズボタンは、外ボタンと、内ボタンとを接着して形成する。
【発明の効果】
【００１１】
請求項１記載の発明の構成によれば、モード設定ダイアルの回転軸を兼ねた胴部の底面に、モード設定ダイアルの回転領域を規制する規制片を張り出すように形成するとともに、本体ケースの内面に、規制片が当接し、モード設定ダイアルの回転領域を規制する規制壁を形成しので、回転操作されるモード設定ダイアルの回転領域は、規制壁に規制片が当接することにより規制される。従って、撮影者による無駄な方向への回転は、出来なくなり、この結果、何ら機能上関係のない領域まで回転しないので、従来のように、電子部品などを破壊するといったトラブルは、発生しない。また、規制片は、回転軸を兼ねた胴部の底面、すなわち、モード設定ダイアルの回転中心側に形成しているので、本体ケースに形成するモード設定ダイアルを装着するための貫通孔を小径にすることができ、モード設定ダイアルの外周である回転操作部から胴部の外周までの距離が長くなるので、この間に出来る隙間から塵埃が、本体ケース内に進入するのを防止できる他、規制片を別途設ける場合に比べ、その強度を増すことができる。さらには、モード設定ダイアルは、前ケースと後ケースの接合部に装着し、回路基板は、モード設定ダイアルの胴部の内側に形成した爪を有する係止部に係止しているので、これらの組立て作業は、やり易く作業効率の向上が図れる、などといった効果を奏する。
【００１２】
請求項２記載の発明の構成によれば、モード設定ダイアルの回転軸を兼ねた胴部の底面に、モード設定ダイアルの回転領域を規制する規制片を張り出すように形成するとともに、本体ケースの内面に、規制片が当接し、モード設定ダイアルの回転領域を規制する規制壁を形成しので、回転操作されるモード設定ダイアルの回転領域は、規制壁に規制片が当接することにより規制される。従って、撮影者による無駄な方向への回転は、出来なくなり、この結果、何ら機能上関係のない領域まで回転しないので、従来のように、電子部品などを破壊するといったトラブルは、発生しない。また、規制片は、回転軸を兼ねた胴部の底面、すなわち、モード設定ダイアルの回転中心側に形成しているので、本体ケースに形成するモード設定ダイアルを装着するための貫通孔を小径にすることができ、モード設定ダイアルの外周である回転操作部から胴部の外周までの距離が長くなるので、この間に出来る隙間から塵埃が、本体ケース内に進入するのを防止できる他、規制片を別途設ける場合に比べ、その強度を増すことができる。さらには、モード設定ダイアルは、前ケースと後ケースの接合部に装着しているので、この組立て作業は、やり易く作業効率の向上が図れる、などといった効果を奏する。
【００１３】
請求項３記載の発明の構成によれば、レリーズボタンは、貫通孔の外周の一部の領域を形成している胴部を貫装しているので、レリーズボタンは、胴部により正確に位置決めすることができる、といった効果を奏する。
【００１４】
請求項４記載の発明の構成によれば、レリーズボタンの底部外周に設けた抜け止め片を、モード設定ダイアルの胴部に形成した嵌合部に嵌合しているので、極めて簡単にレリーズボタンの抜け止めを行うことができる、といった効果を奏する。
【００１５】
請求項５記載の発明の構成によれば、レリーズボタンは、外ボタンと、内ボタンとを接着すれば良く、モード設定ダイアルの貫通孔への組み込み作業がやり易い、といった効果を奏する。
【発明を実施するための最良の形態】
【００１６】
本体ケースと、本体ケースの所定位置に装着され、回転操作されるモード設定ダイアルと、本体ケース内に位置し、モード設定ダイアルが操作されることにより撮影モードが切り替えられる回路基板とを備えたデジタルカメラにおいて、本体ケースを、前ケースと後ケースにより形成し、前ケースと後ケースの接合部にモード設定ダイアルを装着し、モード設定ダイアルの回転軸を兼ねた胴部の底面に、モード設定ダイアルの回転領域を規制する規制片を張り出すように形成するとともに、本体ケースの内面に規制片が当接し、モード設定ダイアルの回転領域を規制する規制壁を、また、モード設定ダイアルの胴部の内側に、回路基板を係止する爪を有する係止部を形成し、かつ、レリーズボタンを、胴部が外周の一部の領域を形成するモード設定ダイアルの貫通孔に貫装し、レリーズボタンの底部外周に設けた抜け止め片を、モード設定ダイアルの胴部に形成した嵌合部に嵌合する。
【００１７】
以下、本発明の一実施形態を図１乃至図７に基づいて説明する。図１は、本発明の一実施形態に係るデジタルカメラの概略構成を示す斜視図、図２は、図１に示すデジタルカメラの前ケースを内側から示す概略斜視図、図３は、図２に示す前ケースを矢印Ａ方向（下側）から見た要部一部断面図、図４は、図１に示すデジタルカメラの要部の一部を断面して示す断面図、図５は、図１に示すデジタルカメラのモード設定ダイアルの一例を示す底面図、図６は、図１に示すデジタルカメラの要部を断面して示す断面図、図７は、図１に示すデジタルカメラのレリーズボタンの一例を断面して示す斜視図である。
【００１８】
図１に示すように、このデジタルカメラ１は、本体ケース２と、この本体ケース２の背面２ａに配置された、例えば、液晶表示部３と、ファインダ窓４と、本体ケース２の上面２ｂ配置された、操作ボタンとしてのレリーズボタン５と、モード設定を行う際に回転操作されるモード設定ダイアル６と、このモード設定ダイアル６の上面に表示された標識６１を指示する指標部７と、本体ケース２の正面に配置された、図示しない撮影用レンズと、ストロボなどを備えている。
【００１９】
標識６１としては、設定可能なモードを示すスイッチオフ「Ｌ」やプログラムモード「Ｐ」、マニュアルモード「Ｍ」などが表示されている。従って、モード設定ダイアル６の回転操作部６２を回転操作し、指標部７に、所望の標識６１を合わせることにより、図４および図６に示す回路基板８の電気的接続がなされ、デジタルカメラ１本体の図示しない、例えば、マイクロコンピュータなどからなる制御部に伝達され、モード設定が行われる。また、モード設定ダイアル６は、撮影者が回転操作し易い様に、適度の厚みを有し、かつ、その外周である回転操作部６２には、例えば、ローレット加工が施されている。また、本体ケース２は、例えば、合成樹脂からなる前ケース２１と、同じく、例えば、合成樹脂からなる後ケース２２とを接合部２３で、接合して形成されている。
【００２０】
而して、本発明に従い、上述のモード設定ダイアル６は、本体ケース２の前ケース２１と、後ケース２２の接合部２３に装着されている。例えば、前ケース２１および後ケース２２の接合部２３には、モード設定ダイアル６を装着するために切り欠き２６（図３および図４参照）が形成されている。このモード設定ダイアル６は、図３乃至図６に示すように、本体ケース２の接合部２３の切り欠き２６を貫通し、回転軸を兼ねた胴部６４の一部をコ字状に外側に突出し、その底面６８にモード設定ダイアル６の回転領域を規制する規制片６７を張り出すように形成する。また、本体ケース２の、例えば、前ケース２１の内面２ｃに規制片６７が当接する規制壁２４、２５を形成する。この構成により、規制片６７の回転範囲が、図３において、反時計方向に、規制壁２５から規制壁２４の範囲に規制される。従って、モード設定ダイアル６の回転領域は、この範囲に規制される。すなわち、モード設定ダイアル６に何ら機能上関係のない領域である、図３の矢印Ｘで示す範囲には、回転しない。
【００２１】
また、胴部６４の一部をコ字状に外側に突出した部分の内側に、回路基板８を係止する爪６６を有する係止部６９を形成し、この爪６６に回路基板８を係着する。また、胴部６４の一部をコ字状に外側に突出して、後述するレリーズボタン５の抜け止め片５２４が勘合する嵌合部６５を設ける。このように、回転軸を兼ねた胴部６４の形状を、一部がコ字状に外側に突出するようにリブ状に形成すると、モード設定ダイアル６そのもの強度が増すので、都合がよい。また、モード設定ダイアル６は、合成樹脂で金型などにより成形する際に、回転操作部６２、胴部６４、規制片６７および係止部６９などを一体的に成形すれば良い、のは勿論である。
【００２２】
レリーズボタン５は、モード設定ダイアル６の中心部の貫通孔６３を貫装するように配設されている。このレリーズボタン５は、例えば、図６および図７に示すように、合成樹脂の表面に金属被覆が施され、少なくとも撮影者が操作する操作部５１１が本体ケース２の外側に露出する外ボタン５１と、本体ケース２の内側に配設された操作軸５２１を有する合成樹脂製の内ボタン５２とから形成されている。外ボタン５１の中心部分の内側には、突起５１２が形成されている。また、内ボタン５２の上面５２ｂ側には、外ボタン５１の突起５１２が勘合される窪み５２２と、窪み５２２の外周を囲繞し、外ボタン５１の内面５１ｃと接する、例えば、リング状の基準壁５２３とを形成する。この、基準壁５２３は、内ボタン５２を、合成樹脂で金型などにより成形する際に、一体的に成形すれば良い。また、内ボタン５２の底部外周に、モード設定ダイアル６に形成した嵌合部５に勘合する抜け止め片５２４を形成すれば、極めて簡単にレリーズボタン６の抜け止めを行うことができる。
【００２３】
そして、内ボタン５２の窪み５２２に、例えば、液状の接着剤を流し込み、この接着剤が流し込まれた窪み５２２に、外ボタン５１の突起５１２を嵌合し、外ボタン５１により内ボタン５２を覆うように重ね合わせて接着する。このとき、外ボタン５１の内面５１ｃは、基準壁５２３の上面に接し、水平が保たれるとともに、窪み５２２に突起５１２が勘合することにより、位置決めが行われる。
【００２４】
この構成により、撮影者がレリーズボタン５の操作部５１１を押圧操作することにより、操作軸５２１が押し下げられ、回路基板８に設けられた、電気接点、例えば、マイクロスイッチがオンされ、レリーズ信号が回路基板８内のマイクロコンピュータに送られ、撮像素子による撮影が行われる。
【００２５】
以上の構成による本実施形態では、モード設定ダイアル６の回転軸を兼ねた胴部６４の底面６８に、モード設定ダイアル６の回転領域を規制する規制片６７を張り出すように形成するとともに、本体ケース２の内面に、規制片６７が当接し、モード設定ダイアル６の回転領域を規制する規制壁２４、２５を形成しので、回転操作されるモード設定ダイアル６の回転領域は、規制壁２４、２５に規制片６７が当接することにより規制される。従って、撮影者による無駄な方向への回転は、出来なくなり、この結果、何ら機能上関係のない領域まで回転しないので、従来のように、電子部品などを破壊するといったトラブルは、発生しない。また、規制片６７は、回転軸を兼ねた胴部６４の底面６８、すなわち、モード設定ダイアル６の回転中心側に形成しているので、本体ケース２に形成するモード設定ダイアル６を装着するための貫通孔、（前ケース２１および後ケース２２に形成される切り欠き２６により形成される）を小径にすることができ、モード設定ダイアル６の外周である回転操作部６２から胴部６４の外周までの距離が長くなるので、この間に出来る隙間Ｙから塵埃が、本体ケース２内に進入するのを防止できる他、規制片６７を別途設ける場合に比べ、規制片６７そのものの強度を増すことができる。さらには、モード設定ダイアル６は、前ケース２１と後ケース２２の接合部２３に装着し、回路基板８は、モード設定ダイアル６の胴部６４の内側に形成した爪６６を有する係止部６９に係止しているので、これらの組立て作業は、やり易く作業効率の向上が図れる、などといった効果を奏する。
【００２６】
また、レリーズボタン５は、胴部６４が外周の一部の領域を形成するモード設定ダイアル６の貫通孔６３に貫装しているので、レリーズボタン５を正確に位置決めすることができる、といった効果を奏する。
【００２７】
また、レリーズボタン５の底部外周に設けた抜け止め片５２４を、モード設定ダイアル６の胴部６４に形成した嵌合部６５に嵌合しているので、極めて簡単にレリーズボタン５の抜け止めを図ることができる、といった効果を奏する。
【００２８】
また、レリーズボタン５は、外ボタン５１と、内ボタン５２とを接着すれば良く、モード設定ダイアル６の貫通孔６３への組み込み作業がやり易い、といった効果を奏する。
【００２９】
なお、上述した実施形態は、本発明の好適な実施例であるが、本発明はこれに限定されるものではなく、本発明の要旨を逸脱しない範囲において、種々変形実施可能である。
【００３０】
例えば、上述の実施形態では、前ケース２１の内面に規制壁２４、２５を一体的に形成したが、これに換えて規制壁２４、２５を夫々分離して形成しても良いのは、勿論である。
【００３１】
また、内ボタン５２の上面５２ｂに形成した基準壁５２３は、必ずしも窪み５２２を囲繞するようにリング状に形成する必要はなく、内ボタン５２を覆うように外ボタン５１を重ね合わせた際に、水平が保てるように、３点以上に分割しても良いのは、勿論である。
【図面の簡単な説明】
【００３２】
【図１】本発明の一実施形態に係るデジタルカメラの概略構成を示す斜視図である。
【図２】図１に示すデジタルカメラの前ケースを内側から示す概略斜視図である。
【図３】図２に示す前ケースを矢印Ａ方向から視た要部一部断面図である。
【図４】図１に示すデジタルカメラの要部の一部を断面して示す断面図である。
【図５】図１に示すデジタルカメラのモード設定ダイアルの一例を示す底面図である。
【図６】図１に示すデジタルカメラの要部を断面して示す断面図である。
【図７】図１に示すデジタルカメラのレリーズボタンの一例を断面して示す斜視図である。
【符号の説明】
【００３３】
１      デジタルカメラ
２      本体ケース
２１    前ケース
２２    後ケース
２３    接合部
２４    規制壁
２５    規制壁
２６    切り欠き
５      レリーズボタン
５１    外ボタン
５２    内ボタン
５２４  抜け止め片
６      モード設定ダイアル
６１    標識
６２    回転操作部
６３    貫通孔
６４    胴部
６５    嵌合部
６６    爪
６７    規制片
６８    底面
６９    係止部
【図１】
2006047597.tif 000003
【図２】
2006047597.tif 000004
【図３】
2006047597.tif 000005
【図４】
2006047597.tif 000006
【図５】
2006047597.tif 000007
【図６】
2006047597.tif 000008
【図７】
2006047597.tif 000009